(57)【要約】【課題】電波による通信と光による通信とを一つの通信装置で行う通信装置および通信方法に関し、特に、この種の通信装置および通信方法に適用される回路構成の簡素化を図ることのできる新規な技術を提供する。【解決手段】電波による無線信号の送信および／または受信に係る変調および／または復調処理を行う無線信号受送信処理部と、光による信号の送信および／または受信に係る変調および／または復調処理を行う光信号受送信処理部と、の双方に対してベースバンド信号処理部を共通にした構成を採り、個々のベースバンド信号処理部を備えるような構成に比較して回路規模を大幅に縮小する。【選択図】図３
2008271500.tif 000002
【特許請求の範囲】
【請求項１】
パルス位置変調方式により変調された、送信すべき情報が重畳されている無線搬送波を送信する無線信号送信処理部と、
前記パルス位置変調方式により変調された、前記送信すべき情報が重畳されている光搬送波を送信する光信号送信処理部と、
前記無線信号送信処理部及び前記光信号送信処理部に共通する前記パルス位置変調方式に従って、前記送信すべき情報を変調するベースバンド処理部と、を含むことを特徴とする送信装置。
【請求項２】
パルス位置変調方式により変調された、受信すべき情報が重畳されている無線搬送波を受信する無線信号受信処理部と、
前記パルス位置変調方式により変調された、前記受信すべき情報が重畳されている光搬送波を受信する光信号受信処理部と、
前記無線信号受信処理部及び前記光信号受信処理部に共通する前記パルス位置変調方式に従って、前記受信すべき情報を復調するベースバンド処理部と、を含むことを特徴とする受信装置。
【請求項３】
パルス位置変調方式により変調された、転送すべき情報が重畳されている無線搬送波を受信する無線信号受信処理部と、
前記パルス位置変調方式により変調された、前記転送すべき情報が重畳されている光搬送波を送信する光信号送信処理部と、を含むことを特徴とする転送装置。
【請求項４】
パルス位置変調方式により変調された、転送すべき情報が重畳されている光搬送波を受信する光信号受信処理部と、
前記パルス位置変調方式により変調された、前記転送すべき情報が重畳されている無線搬送波を送信する無線信号送信処理部と、を含むことを特徴とする転送装置。
【請求項５】
パルス位置変調方式により変調された、送信すべき情報が重畳されている無線搬送波を送信する無線信号送信処理工程と、
前記パルス位置変調方式により変調された、前記送信すべき情報が重畳されている光搬送波を送信する光信号送信処理工程と、
前記無線信号送信処理工程及び前記光信号送信処理工程に共通する前記パルス位置変調方式に従って、前記送信すべき情報を変調するベースバンド処理工程と、を含むことを特徴とする送信方法。
【請求項６】
パルス位置変調方式により変調された、受信すべき情報が重畳されている無線搬送波を受信する無線信号受信処理工程と、
前記パルス位置変調方式により変調された、前記受信すべき情報が重畳されている光搬送波を受信する光信号受信処理工程と、
前記無線信号受信処理工程及び前記光信号受信処理工程に共通する前記パルス位置変調方式に従って、前記受信すべき情報を復調するベースバンド処理工程と、を含むことを特徴とする受信方法。
【請求項７】
パルス位置変調方式により変調された、転送すべき情報が重畳されている無線搬送波を受信する無線信号受信処理工程と、
前記パルス位置変調方式により変調された、前記転送すべき情報が重畳されている光搬送波を送信する光信号送信処理工程と、を含むことを特徴とする転送方法。
【請求項８】
パルス位置変調方式により変調された、転送すべき情報が重畳されている光搬送波を受信する光信号受信処理工程と、
前記パルス位置変調方式により変調された、前記転送すべき情報が重畳されている無線搬送波を送信する無線信号送信処理工程と、を含むことを特徴とする転送方法。
【請求項９】
電波による無線信号の送信に係る変調処理を行う無線信号送信処理部と、光による信号の送信に係る変調処理を行う光信号送信処理部と、前記無線信号送信処理部および前記光信号送信処理部に共通のベースバンド信号処理を行うベースバンド信号処理部と、を有していることを特徴とする送信装置。
【請求項１０】
光源を含む表示部を更に有し、
前記光信号送信処理部は、前記光による信号の送信に係る変調処理を、前記光源を用いて行うことを特徴とする請求項９に記載の送信装置。
【請求項１１】
電波による無線信号の受信に係る復調処理を行う無線信号受信処理部と、光による信号の受信に係る復調処理を行う光信号受信処理部と、前記無線信号受信処理部および前記光信号受信処理部に共通のベースバンド信号処理を行うベースバンド信号処理部と、を有していることを特徴とする受信装置。
【請求項１２】
前記光信号受信処理部は、表示部が含む光源を用いた、前記光による信号の受信に係る復調処理を行うことを特徴とする請求項１１に記載の受信装置。
【発明の詳細な説明】
【技術分野】
【０００１】
本発明は、通信装置及び通信方法に関し、詳しくは、無線搬送波及び光搬送波を用いた、送信装置、受信装置、転送装置、送信方法、受信方法、及び、転送方法に関する。
【背景技術】
【０００２】
従来の送信装置及び受信装置の間では、例えば、特許文献１に記載されているように、携帯電話機とカーナビゲーション装置との間では、光（正確には、赤外線）を用いた通信が行われており、また、特許文献２に記載されているように、保守作業場所設置機器とサーバ装置との間では、有線、無線、及び赤外線等のいずれかを用いた通信が行われており、更に、特許文献３に記載されているように、携帯電話と他の情報機器との間では、可視光源（例えば、液晶パネル等のバックライト）を用いた通信が行われている。
【０００３】
【特許文献１】特開２００４−２９４３１０号公報
【特許文献２】特開２００６−２１７０１５号公報
【特許文献３】特開２００６−３１９４０８号公報
【発明の開示】
【発明が解決しようとする課題】
【０００４】
しかしながら、上記した従来の送信装置及び受信装置では、光及び無線のいずれかのみを用いて通信を行うことから、例えば、光を用いた通信を行っているときに光の伝送路上で障害が発生すると、前記光を用いた通信を続けることが困難になり、又は、不能になり、同様に、無線を用いた通信を行っているときに無線の伝送路上で障害が発生すると、前記無線を用いた通信を続けることが困難になり、又は不能になるという問題があった。
【課題を解決するための手段】
【０００５】
適用例の送信装置、受信装置、転送装置、送信方法、受信方法、及び、転送方法は、以下のような構成を有する。
［適用例１］
適用例１の送信装置は、
パルス位置変調方式により変調された、送信すべき情報が重畳されている無線搬送波を送信する無線信号送信処理部と、
前記パルス位置変調方式により変調された、前記送信すべき情報が重畳されている光搬送波を送信する光信号送信処理部と、
前記無線信号送信処理部及び前記光信号送信処理部に共通する前記パルス位置変調方式に従って、前記送信すべき情報を変調するベースバンド処理部と、を含む。
【０００６】
［適用例２］
適用例２の受信装置は、
パルス位置変調方式により変調された、受信すべき情報が重畳されている無線搬送波を受信する無線信号受信処理部と、
前記パルス位置変調方式により変調された、前記受信すべき情報が重畳されている光搬送波を受信する光信号受信処理部と、
前記無線信号受信処理部及び前記光信号受信処理部に共通する前記パルス位置変調方式に従って、前記受信すべき情報を復調するベースバンド処理部と、を含む。
【０００７】
適用例１の送信装置及び適用例２の受信装置によれば、前記ベースバンド処理部が、前記無線信号送信処理部及び前記光信号送信処理部に共通する、前記パルス位置変調方式に従って、前記送信すべき情報を変調し又は前記受信すべき情報を復調することから、前記無線信号送信処理部及び前記光信号送信処理部の一方に障害が発生したときであっても、他方により通信を継続することが可能となる。
【０００８】
加えて、前記無線信号送信処理部及び前記光信号送信処理部の各毎に、及び、前記無線信号受信処理部及び前記光信号受信処理部の各毎に、ベースバンド処理部を設けることを回避することができ、結果的に、前記送信装置及び前記受信装置を小型化かつ安価にすることが可能となる。
【０００９】
［適用例３］
適用例３の転送装置は、
パルス位置変調方式により変調された、転送すべき情報が重畳されている無線搬送波を受信する無線信号受信処理部と、
前記パルス位置変調方式により変調された、前記転送すべき情報が重畳されている光搬送波を送信する光信号送信処理部と、を含む。
【００１０】
［適用例４］
適用例４の転送装置は、
パルス位置変調方式により変調された、転送すべき情報が重畳されている光搬送波を受信する光信号受信処理部と、
前記パルス位置変調方式により変調された、前記転送すべき情報が重畳されている無線搬送波を送信する無線信号送信処理部と、を含む。
【００１１】
適用例３、４の転送装置によれば、前記パルス位置変調方式により変調された情報を受信しかつ送信することにより当該情報を転送することから、当該転送を、適用例１の送信装置及び適用例２の受信装置が有する、前記ベースバンド処理部を用いることなく行うことが可能となる。
【００１２】
［適用例５］
適用例５の送信方法は、
パルス位置変調方式により変調された、送信すべき情報が重畳されている無線搬送波を送信する無線信号送信処理工程と、
前記パルス位置変調方式により変調された、前記送信すべき情報が重畳されている光搬送波を送信する光信号送信処理工程と、
前記無線信号送信処理工程及び前記光信号送信処理工程に共通する前記パルス位置変調方式に従って、前記送信すべき情報を変調するベースバンド処理工程と、を含む。
【００１３】
［適用例６］
適用例６の受信方法は、
パルス位置変調方式により変調された、受信すべき情報が重畳されている無線搬送波を受信する無線信号受信処理工程と、
前記パルス位置変調方式により変調された、前記受信すべき情報が重畳されている光搬送波を受信する光信号受信処理工程と、
前記無線信号受信処理工程及び前記光信号受信処理工程に共通する前記パルス位置変調方式に従って、前記受信すべき情報を復調するベースバンド処理工程と、を含む。
【００１４】
［適用例７］
適用例７の転送方法は、
パルス位置変調方式により変調された、転送すべき情報が重畳されている無線搬送波を受信する無線信号受信処理工程と、
前記パルス位置変調方式により変調された、前記転送すべき情報が重畳されている光搬送波を送信する光信号送信処理工程と、を含む。
【００１５】
［適用例８］
適用例８の転送方法は、
パルス位置変調方式により変調された、転送すべき情報が重畳されている光搬送波を受信する光信号受信処理工程と、
前記パルス位置変調方式により変調された、前記転送すべき情報が重畳されている無線搬送波を送信する無線信号送信処理工程と、を含む。
【００１６】
［適用例９］
適用例９の送信装置は、
電波による無線信号の送信に係る変調処理を行う無線信号送信処理部と、光による信号の送信に係る変調処理を行う光信号送信処理部と、前記無線信号送信処理部および前記光信号送信処理部に共通のベースバンド信号処理を行うベースバンド信号処理部と、を有している。
【００１７】
［適用例１０］
適用例１０の送信装置は、適用例９の送信装置であって、
光源を含む表示部を更に有し、
前記光信号送信処理部は、前記光による信号の送信に係る変調処理を、前記光源を用いて行う。
【００１８】
［適用例１１］
適用例１１の受信装置は、
電波による無線信号の受信に係る復調処理を行う無線信号受信処理部と、光による信号の受信に係る復調処理を行う光信号受信処理部と、前記無線信号受信処理部および前記光信号受信処理部に共通のベースバンド信号処理を行うベースバンド信号処理部と、を有している。
【００１９】
［適用例１２］
適用例１２の受信装置は、適用例１１の受信装置であって、
前記光信号受信処理部は、表示部が含む光源を用いた、前記光による信号の受信に係る復調処理を行う。
【発明を実施するための最良の形態】
【００２０】
《送信装置》
図１は、実施形態の送信装置の構成を示す。送信装置（通信装置）１００は、図１に示されるように、アンテナ１０４と、無線信号送信処理部１０３と、光信号送信処理部１０５と、ベースバンド信号処理部１０２と、制御部１０１と、表示部１０８と、を含む。
【００２１】
ここで、表示部１０８は、液晶パネル１０７を有し、当該液晶パネル１０７は、光源であるＬＥＤ１０６を備える。表示部１０８は、例えば、送信装置１００の送信動作を表示する。
【００２２】
〈全体の説明〉
無線信号送信処理部１０３は、パルス位置変調方式（ＰＰＭ：Pulse Position Modulation）により変調された、送信すべき情報（データ）が重畳されている無線搬送波を、アンテナ１０４を介して、対向の受信装置（図示せず。）に向けて送信する。
【００２３】
光信号送信処理部１０５は、上記したパルス位置変調方式により変調された、前記無線信号送信処理部１０３が送信すべき情報と同一な情報が重畳されている光搬送波を、ＬＥＤ１０６を介して、上記した受信装置に向けて送信する。
【００２４】
ベースバンド処理部１０２は、前記パルス位置変調方式に従って、即ち、前記無線信号送信処理部１０３及び前記光信号送信処理部１０５に共通する前記パルス位置変調方式に従って、前記無線信号送信処理部１０３及び前記光信号送信処理部１０５が送信すべき前記情報を変調する。
【００２５】
制御部１０１は、送信装置１００の動作全体を監視しかつ制御し、また、前記送信すべき情報をベースバンド信号処理部１０２に受け渡す。
【００２６】
送信装置１００では、ベースバンド信号処理部１０２が、無線信号送信処理部１０３及び光信号送信処理部１０５に共通するパルス位置変調方式に従って、前記送信すべき情報を変調することから、たとえ、無線信号送信処理部１０３及び光信号送信処理部１０５の一方に障害が発生しても、他方により送信の動作を継続することができ、しかも、ベースバンド信号処理部１０２を、無線信号送信処理部１０３及び光信号送信処理部１０５の各々毎に設ける必要が無いことから、送信装置１００を、当該ベースバンド信号処理部１０２を２つ設けなければならない送信装置に比して小型にしかつ安価にすることが可能となる。
【００２７】
〈詳細な説明〉
通信装置１００は、例えばマイクロプロセッサ等を主体にして構成され、通信装置１００の系全体を統括的に管理する制御部１０１が設けられ、送信対象となる音声、画像、その他デジタルデータの形態をとる種々のデータである送信データが扱われる。
【００２８】
即ち、この制御部１０１に図示されない入力系統ないし入力操作手段等からデジタルデータの形態をとる種々のデータが供給され、この制御部１０１内での所定の処理を施されてベースバンド信号処理部１０２に供給される。
ベースバンド信号処理部１０２は、制御部１０１から供給された上述の送信データに所定の処理を施して通信装置１００での通信方式に適合するベースバンド信号を生成する。
【００２９】
上述のようにしてベースバンド信号処理部１０２で生成されたベースバンド信号は、一方では、無線信号送信処理部１０３に供給され、この無線信号送信処理部１０３において電波による無線信号の送信に係る変調処理が施される。
無線信号送信処理部１０３の出力であるＲＦ帯域の変調信号はアンテナ１０４に供給され、このアンテナ１０４から電波となって外部に伝播する。
【００３０】
ベースバンド信号処理部１０２で生成されたベースバンド信号は、他方では、光信号送信処理部１０５に供給され、この光信号送信処理部１０５において光による信号の送信に係る変調処理が施される。
光信号送信処理部１０５の出力に基づいて光投射手段であるＬＥＤ１０６が駆動され、ＬＥＤ１０６の発光が変調された光による信号として外部に投射される。
【００３１】
以上のような通信装置１００では、電波による無線信号の送信に係る変調処理を行う無線信号送信処理部１０３と、光による信号の送信に係る変調処理を行う光信号送信処理部１０５と、の双方に対してベースバンド信号処理部１０２を共通にした構成であるため、個々のベースバンド信号処理部を備えるような構成に比較して回路規模が大幅に縮小される。
【００３２】
また、無線信号送信処理部１０３は、パルス通信によって無線信号の送信に係る変調処理を行うように構成され得るものであり、このように構成された場合には、無線信号送信処理部１０３の稼動により電波による無線信号でのパルス通信（送信）が行われる。
更にまた、光信号送信処理部１０５は、表示装置の光源を利用した光通信を行うように構成され得るものであり、このように構成された場合には、光信号送信処理部１０５の稼動により表示装置の光源を利用した光通信（送信）が行われる。
【００３３】
《受信装置》
図２は、実施形態の受信装置の構成を示す。受信装置（通信装置）２００は、図２に示されるように、アンテナ２０１と、無線信号受信処理部２０２と、切換部２０７と、受光素子２０５と、光信号受信処理部２０６と、ベースバンド信号処理部２０３と、制御部２０４と、を含む。
【００３４】
〈全体の説明〉
無線信号受信処理部２０２は、上記したパルス位置変調方式により変調された、受信すべき情報（データ）が重畳されている無線搬送波を、アンテナ２０１を介して、対向の送信装置（図示せず。）から受信する。
【００３５】
光信号受信処理部２０６は、上記したパルス位置変調方式により変調された、前記無線信号受信処理部２０２が受信すべき情報と同一な情報が重畳されている光搬送波を、受光素子２０５を介して、上記した送信装置から受信する。
【００３６】
切換部２０７は、無線信号受信処理部２０２が受信した無線搬送波、及び、光信号受信処理部２０６が受信した光搬送波のうちの一方を選択し、当該選択された搬送波をベースバンド信号処理部２０３に出力する。
【００３７】
ベースバンド信号処理部２０３は、前記パルス位置変調方式に従って、即ち、前記無線信号受信処理部２０２及び前記光信号受信処理部２０６に共通する前記パルス位置変調方式に従って、切換部２０７から出力される搬送波を復調することにより、前記受信すべき情報を得る。
【００３８】
制御部２０４は、受信装置２００の動作全体を監視しかつ制御し、また、前記受信すべき情報をベースバンド信号処理部２０３から受け取る。
【００３９】
受信装置２００では、ベースバンド信号処理部２０３が、無線信号受信処理部２０２及び光信号受信処理部２０６に共通するパルス位置変調方式に従って、前記受信すべき情報を復調することから、たとえ、無線信号受信処理部２０２及び光信号受信処理部２０６の一方に障害が発生しても、他方により受信の動作を継続することができ、しかも、ベースバンド信号処理部２０３を、無線信号受信処理部２０２及び光信号受信処理部２０６の各々毎に設ける必要が無いことから、受信装置２００を、当該ベースバンド信号処理部２０３を２つ設けなければならない受信装置に比して小型にしかつ安価にすることが可能となる。
【００４０】
〈詳細な説明〉
アンテナ２０１で受けた電波による受信信号は例えば前段部分に図示しないローノイズアンプ等が設けられた無線信号受信処理部２０２に供給されて復調処理が施され、例えばＩＦ信号に変換される。
【００４１】
無線信号受信処理部２０２によって復調処理が施された信号は、ベースバンド信号処理部２０３に供給されて、ベースバンドである、例えばデジタルデータに復される。
ベースバンド信号処理部２０３でベースバンドに復されたデータは制御部２０４に供給され、ここで、データの表示や保存などのための処理に附される。
尚、制御部２０４は、例えばマイクロプロセッサ等を主体にして構成されこの通信装置２００の系全体を統括的に管理する。
【００４２】
一方、光による通信信号を受信する受光器としての受光素子２０５が設けられ、この受光素子２０５によって受信された光信号が光信号受信処理部２０６に供給される。
光信号受信処理部２０６によって復調処理が施された信号はベースバンド信号処理部２０３に供給されてベースバンドである例えばデジタルデータに復される。
この通信装置２００では、電波による無線信号の受信に係る復調処理を行う無線信号受信処理部２０２と、光による信号の受信に係る復調処理を行う光信号受信処理部２０６と、の双方に対してベースバンド信号処理部２０３を共通にした構成であるため、個々のベースバンド信号処理部を備えるような構成に比較して回路規模が大幅に縮小される。
【００４３】
また、無線信号受信処理部２０２は、パルス通信によって無線信号の受信に係る復調処理を行うように構成され得るものであり、このように構成された場合には、無線信号受信処理部２０２の稼動により電波による無線信号でのパルス通信（受信）が行われる。
更にまた、光信号受信処理部２０６は、表示装置の光源を利用した変調光を受光することによる光通信を行うように具現され得るものであり、このように構成された場合には、光信号受信処理部２０６の稼動により表示装置の光源を利用した変調光を受光することによる光通信（受信）が行われる。
【００４４】
《送受信装置》
図３は、実施形態の送受信装置の構成を示す。送受信装置（通信装置）３００は、本発明が送受信可能な通信装置として具現されたものである。
先ず、通信装置３００が送信機能を営む場合の信号（データ）の処理手順に沿って、この装置の構成および作用について説明する。
例えばマイクロプロセッサ等を主体にして構成されこの通信装置３００の系全体を統括的に管理する制御部３０１が設けられ、送信対象となる音声、画像、その他デジタルデータの形態をとる種々のデータである送信データが扱われる。
【００４５】
即ち、この制御部３０１に図示されない入力系統ないし入力操作手段等からデジタルデータの形態をとる種々のデータが供給され、この制御部３０１内での所定の処理を施されてベースバンド信号処理部３０２に供給される。
ベースバンド信号処理部３０２は、制御部３０１から供給された上述の送信データに所定の処理を施して通信装置３００での通信方式に適合するベースバンド信号を生成する。
【００４６】
上述のようにしてベースバンド信号処理部３０２で生成されたベースバンド信号は、一方では、無線信号受送信処理部３０３に供給され、この無線信号受送信処理部３０３において電波による無線信号の送信に係る変調処理が施される。
無線信号受送信処理部３０３の出力であるＲＦ帯域の変調信号はアンテナ３０４に供給され、このアンテナ３０４から電波となって外部に伝播する。
【００４７】
ベースバンド信号処理部３０２で生成されたベースバンド信号は、他方では、光信号受送信処理部３０５に供給され、この光信号受送信処理部３０５において光による信号の送信に係る変調処理が施される。
光信号受送信処理部３０５の出力に基づいて、表示部３０８内の液晶パネル３０７が備えるＬＥＤ３０６が駆動され、ＬＥＤ３０６の発光が変調された光による信号として外部に投射される。
【００４８】
ここで、表示部３０８、液晶パネル３０７、ＬＥＤ３０６は、図１に図示された、表示部１０８、液晶パネル１０７、ＬＥＤ１０６に相当する。
【００４９】
次に、通信装置３００が受信機能を営む場合の信号（データ）の処理手順に沿って、この装置の構成および作用について説明する。
【００５０】
アンテナ３０４で受けた電波による受信信号は例えば前段部分に図示しないローノイズアンプ等が設けられた無線信号受送信処理部３０３に供給されて復調処理が施され、例えばＩＦ信号に変換される。
【００５１】
一方、光による通信信号を受信する受光器としての受光素子３１０が設けられ、この受光素子３１０によって受信された光信号が光信号受送信処理部３０５に供給され、復調処理が施される。
【００５２】
無線信号受送信処理部３０３により復調処理が施された信号、及び、光信号受送信処理部３０５により復調処理が施された信号の一方が、切換部３０９（図２の切換部２０７に相当。）により選択され、当該選択された信号が、ベースバンド信号処理部３０２に供給され、ベースバンドである例えばデジタルデータに復される。
【００５３】
ベースバンド信号処理部３０２でベースバンドに復されたデータは上述の制御部３０１に供給され、ここで、データの表示や保存などのための処理に附される。
【００５４】
この通信装置３００では、電波による無線信号の受送信に係る変調および／または復調処理を行う無線信号受送信処理部３０３と、光による信号の受送信に係る変調および／または復調処理を行う光信号受送信処理部３０５と、の双方に対してベースバンド信号処理部３０２を共通にした構成であるため、個々のベースバンド信号処理部を備えるような構成に比較して回路規模が大幅に縮小される。
【００５５】
また、無線信号受送信処理部３０３は、パルス通信によって無線信号の送信および／または受信に係る変調および／または復調処理を行うように構成され得るものであり、このように構成された場合には、無線信号送受信処理部３０３の稼動により電波による無線信号でのパルス通信が行われる。
更にまた、光信号受送信処理部３０５は、表示装置の光源を利用した光通信を行う（受信時はバックライトの変調光を受光することによる光通信を行う）ように構成され得るものであり、このように構成された場合には、光信号受送信処理部３０５の稼動により表示装置の光源を利用した光通信が行われる。
【００５６】
《転送装置》
図４及び図５は、実施形態の転送装置の構成を示す。転送装置４００は、図４に示されるように、アンテナ４０１と、無線信号受信処理部４０２と、光信号送信処理部４０３と、ＬＥＤ４０４とを含む。無線信号受信処理部４０２は、受信装置２００の無線信号受信処理部２０２と同様な構成及び機能を有し、また、光信号送信処理部４０３は、送信装置１００の光信号送信処理部１０５と同様な構成及び機能を有する。転送装置４００では、無線信号受信処理部４０２が、アンテナ４０１を介して、転送すべき情報がパルス位置変調方式に従って変調されて重畳されている無線搬送波を受信し、かつ、光信号送信処理部４０３が、ＬＥＤ４０４を介して、前記転送すべき情報がパルス位置変調方式に従って変調されて重畳されている光搬送波を送信し、即ち、転送を行う。
【００５７】
上述したように、転送装置４００は、パルス位置変調方式により変調された、転送すべき情報が重畳されている無線搬送波を受信する無線信号受信処理部４０２と、前記パルス位置変調方式により変調された、前記転送すべき情報が重畳されている光搬送波を送信する光信号送信処理部４０３とを有することにより、上述した送信装置１００及び受信装置２００が備えるべきベースバンド信号処理部１０２、２０３を備えることなく、転送処理を行うことが可能となる。
【００５８】
転送装置５００は、図５に示されるように、受光素子５０１と、光信号受信処理部５０２と、無線信号送信処理部５０３と、アンテナ５０４と、を含む。光信号受信処理部５０２は、受信装置２００の光信号受信処理部２０６と同様な構成及び機能を有し、また、無線信号送信処理部５０３は、送信装置１００の無線信号送信処理部１０３と同様な構成及び機能を有する。転送装置５００では、転送装置４００とは対照的に、光信号受信処理部５０２が、受光素子５０１を介して、転送すべき情報がパルス位置変調方式に従って変調されて重畳されている光搬送波を受信し、かつ、無線信号送信処理部５０３が、アンテナ５０４を介して、前記転送すべき情報がパルス位置変調方式に従って変調されて重畳されている無線搬送波を送信し、即ち、転送を行う。
【００５９】
上述したように、転送装置５００は、パルス位置変調方式により変調された、転送すべき情報が重畳されている光搬送波を受信する光信号受信処理部５０２と、前記パルス位置変調方式により変調された、前記転送すべき情報が重畳されている無線搬送波を送信する無線信号送信処理部５０３とを有することにより、上述した送信装置１００及び受信装置２００が備えるべきベースバンド信号処理部１０２、２０３を備えることなく、転送処理を行うことが可能となる。
【００６０】
以上説明した本発明の技術思想は、電波による無線信号の送信および／または受信と光による信号の送信および／または受信とを共通のベースバンド信号処理によって行うことを特徴とする通信方法であるとも要約され得る。
この通信方法では、比較的小規模な回路によって電波による無線通信と光通信との双方の方式による通信が行われ得る。
【図面の簡単な説明】
【００６１】
【図１】実施形態の送信装置の構成を示す図である。
【図２】実施形態の受信装置の構成を示す図である。
【図３】実施の形態の送受信装置の構成を示す図である。
【図４】実施の形態の転送装置の構成を示す図である。
【図５】実施の形態の他の転送装置の構成を示す図である。
【符号の説明】
【００６２】
１００，２００，３００…通信装置  １０１，２０４，３０１…制御部  １０２，２０３，３０２…ベースバンド信号処理部  １０３…無線信号送信処理部  １０４，２０１，３０４…アンテナ  １０５…光信号送信処理部  １０６，３０６…ＬＥＤ  ２０２…無線信号受信処理部  ２０５，３１０…受光素子  ２０６…光信号受信処理部  ３０３…無線信号受送信処理部  ３０５…光信号受送信処理部
【図１】
2008271500.tif 000003
【図２】
2008271500.tif 000004
【図３】
2008271500.tif 000005
【図４】
2008271500.tif 000006
【図５】
2008271500.tif 000007